(57)【要約】【課題】防護管が電線に容易に接触しない防護管用収容袋を提供する。【解決手段】収容袋１０は、複数の防護管９を軸方向に相対的に移動して収容できる。収容袋１０は、円筒状の収容袋本体１、吊り下げロープ２、及び円環体３を備える。収容袋本体１は、防護管９が挿入される開口された口部１１を一端部に有し、閉塞された底部１２を他端部に有する。吊り下げロープ２は、両端部２ａ・２ａが口部１１に繋留し、中間部２ｂを掛止できる。円環体３は、収容袋本体１の底部１２側に取り付けられ、吊り下げできる。収容袋本体１は、その側面部材の一部が線ファスナー４で開閉自在に係合した封止扉１４を有する。封止扉１４を開くことにより、防護管９を取り出し容易な取り出し口４０を口部１１と円環体３との間の円環体３に寄せて配置している。【選択図】図１
2012201469.tif 000002
【特許請求の範囲】
【請求項１】
複数の長尺の防護管を収容可能な防護管用収容袋であって、
前記防護管が挿入される開口された口部を一端部に有し、閉塞された底部を他端部に有する長尺の円筒状の収容袋本体と、
両端部が前記口部に繋留し、中間部を掛止可能な吊り下げロープと、
前記収容袋本体の底部側の周面に取り付けられた円環体と、を備え、
前記収容袋本体は、その側面部材の一部が線ファスナーで開閉自在に係合した封止扉を有し、
この封止扉を開くことにより前記防護管を取り出し容易な取り出し口を前記口部と前記円環体との間の当該円環体に寄せた位置に配置している防護管用収容袋。
【請求項２】
前記線ファスナーは、前記収容袋本体の側面部材同士を噛み合わせる複数の務歯を有し、
前記封止扉は、
前記収容袋本体の外周方向に略平行に延びる一対の第１務歯列と、
前記収容袋本体の軸方向に延びて、前記一対の第１務歯列の端部同士を接続する第２務歯列と、を有し、
前記取り出し口を略矩形に開口する請求項１記載の防護管用収容袋。
【請求項３】
前記線ファスナーは、前記収容袋本体の側面部材同士を噛み合わせる複数の務歯を有し、
前記封止扉は、
前記収容袋本体の軸方向に略平行に延びる一対の第３務歯列と、
前記収容袋本体の外周方向に延びて、前記一対の第３務歯列の端部同士を接続する第４務歯列と、を有し、
前記円環体に隣接する前記側面部材を外側に折り曲げて、前記取り出し口を略矩形に開口する請求項１記載の防護管用収容袋。
【発明の詳細な説明】
【技術分野】
【０００１】
本発明は、防護管用収容袋に関する。特に、電柱などに懸架された電線に防護管を装着する高所作業に用いられ、複数の防護管を収容すると共に、防護管の取り出しが容易な、防護管用収容袋の構造に関する。
【背景技術】
【０００２】
例えば、建設工事現場の近傍に電線が架設されている場合には、この電線を絶縁性の防護管（いわゆる「ポリ管」）で覆っている。これにより、建設作業用の機器類が電線に直接、接触することを防止できる。又、樹木の枝などが電線に接触する可能性がある場合にも、この電線に防護管が装着され、電線の絶縁被膜が磨耗することで発生する地絡事故などを未然に防止できる。
【０００３】
一般に、このような防護管の装着作業は、高所作業車のブーム（ＢＯＯＭ）の先端部に連結された作業台（バスケット）に搭乗した作業員によって実施される。このような防護管の装着作業では、複数の防護管を収容した長尺で有底の収容袋をブームの先端部又は作業台に予め吊り下げておき、作業員は、この収容袋の上部開口から個別に防護管を引き出して、電線に装着していた。
【０００４】
ところで、この収容袋から防護管を上方に引き出すと、従来の収容袋は、相当の深さを有するため、収容袋から防護管を完全に抜き出すに至るまでには、防護管の先端部が電線に接触する心配があった。こうしたことから、防護管の先端部が電線に接触することを防止する防護管用収容袋が開示されている（例えば、特許文献１参照）。
【先行技術文献】
【特許文献】
【０００５】
【特許文献１】特開２００９−８４０３１号公報
【発明の概要】
【発明が解決しようとする課題】
【０００６】
図９は、特許文献１による防護管用収容袋の構成を示す斜視図である。図１０は、特許文献１による防護管用収容袋の使用状態を示す斜視図であり、図１０（Ａ）は、防護管を上方に引き上げた状態図、図１０（Ｂ）は、図１０（Ａ）の状態から防護管を下方に引き出し、防護管用収容袋から取り出した状態図、図１０（Ｃ）は、図１０（Ｂ）の状態から防護管を上方に引き上げて、電線に接触することなく、防護管を電線に装着可能となった状態図である。なお、本願の図９は、特許文献の図１に相当し、本願の図１０は、特許文献の図４に相当している。
【０００７】
図９を参照すると、特許文献１による防護管用収容袋（以下、収容袋と略称する）８は、円筒状の上部袋８１と有底円筒状の下部袋８２を備えている。上部袋８１は、上端部及び下端部を開口している。下部袋８２は、上端部を開口し、下端部を閉塞している。
【０００８】
又、図９を参照すると、収容袋８は、複数の懸垂ロープ８３を備えている。懸垂ロープ８３の上端部８３ａは、上部袋８１に懸架されるように上部袋８１に繋留している。懸垂ロープ８３の下端部８３ｂは、下部袋８２を懸架するように下部袋８２に繋留している。
【０００９】
図９を参照すると、実体として、懸垂ロープ８３の上端部８３ａは、上部袋８１の下端部に設けた円環体（リング）８１ｂに繋留している。懸垂ロープ８３の下端部８３ｂは、下部袋８２の上端部に設けた剛性リング８２ａに繋留している。
【００１０】
図９を参照すると、収容袋８は、吊り下げロープ８４を備えている。吊り下げロープ８４の両端部８４ａ・８４ａは、上部袋８１を懸架するように上部袋８１に繋留している。実体として、吊り下げロープ８４の両端部８４ａ・８４ａは、上部袋８１の上端部に設けた剛性リング８１ａに繋留している。
【００１１】
図９を参照すると、吊り下げロープ８４の中間部にフック７ａを掛止することにより、複数の防護管９を縦置きに収容袋８に収容できる（図１０（Ａ）参照）。
【００１２】
次に、図１０を参照して、収容袋８の使用方法を説明する。図１０（Ａ）を参照すると、収容袋８は、複数の防護管９を縦置きに収容している。上部袋８１は、防護管９の上部を昇降自在に保持している。下部袋８２は、引き出し容易に防護管９の下部を保持している。上部袋８１と下部袋８２の間は、防護管９が取り出し易いように空間を設けている。
【００１３】
図１０（Ａ）を参照して、最初に、防護管９の下端部が下部袋８２の上端を越える位置まで、対応する防護管９を持ち上げる。次に、図１０（Ｂ）に示すように、防護管９の下端部を下部袋８２の外に移動し、防護管９の上端部が上部袋８１の下端を越える位置まで、対応する防護管９を下げる。次に、図１０（Ｃ）に示すように、防護管９の上端部を上部袋８１の外に移動し、対応する防護管９を持ち上げて、防護管９を収容袋８から取り出すことができる。
【００１４】
特許文献１による防護管用収容袋は、上部袋と下部袋の間から防護管を取り出すことができるので、従来のように、防護管を上方に大きく移動する必要が無くなり、防護管の先端部が電線に接触することを防止できる、としている。
【００１５】
しかしながら、特許文献１による防護管用収容袋は、縦置きされた防護管９を一旦、持ち上げるので、電線への接触の心配を払拭できないという問題がある。
【００１６】
防護管が電線に容易に接触しない防護管用収容袋が実現できれば、安全であり、防護管を電線に効率よく装着できる。そして、以上のことが本発明の課題といってよい。
【００１７】
本発明は、このような課題に鑑みてなされたものであり、防護管が電線に容易に接触しない防護管用収容袋及び防護管の落下の可能性の低い防護管用収容袋を提供することを目的とする。
【課題を解決するための手段】
【００１８】
本発明者らは、防護管用収容袋を長尺の有底筒形に形成すると共に、この収容袋の口部側を上位に、この収容袋の底部側を下位にできるように、収容袋を略横向きに配置可能に構成し、更に、この収容袋の底部側に封止扉を設け、封止扉を開くことにより防護管を取り出し容易な取り出し口を配置することにより、これらの課題が解決可能なことを見出し、これに基づいて、以下のような新たな防護管用収容袋を発明するに至った。
【００１９】
（１）本発明による防護管用収容袋は、複数の長尺の防護管を収容可能な防護管用収容袋であって、前記防護管が挿入される開口された口部を一端部に有し、閉塞された底部を他端部に有する長尺の円筒状の収容袋本体と、両端部が前記口部に繋留し、中間部を掛止可能な吊り下げロープと、前記収容袋本体の底部側の周面に取り付けられた円環体と、を備え、前記収容袋本体は、その側面部材の一部が線ファスナーで開閉自在に係合した封止扉を有し、この封止扉を開くことにより前記防護管を取り出し容易な取り出し口を前記口部と前記円環体との間の当該円環体に寄せた位置に配置している。
【００２０】
（２）前記線ファスナーは、前記収容袋本体の側面部材同士を噛み合わせる複数の務歯を有し、前記封止扉は、前記収容袋本体の外周方向に略平行に延びる一対の第１務歯列と、前記収容袋本体の軸方向に延びて、前記一対の第１務歯列の端部同士を接続する第２務歯列と、を有し、前記取り出し口を略矩形に開口してもよい。
【００２１】
（３）前記線ファスナーは、前記収容袋本体の側面部材同士を噛み合わせる複数の務歯を有し、前記封止扉は、前記収容袋本体の軸方向に略平行に延びる一対の第３務歯列と、前記収容袋本体の外周方向に延びて、前記一対の第３務歯列の端部同士を接続する第４務歯列と、を有し、前記円環体に隣接する前記側面部材を外側に折り曲げて、前記取り出し口を略矩形に開口してもよい。
【発明の効果】
【００２２】
本発明による防護管用収容袋は、複数の防護管を収容する収容袋本体と、収容袋本体の口部に繋留して吊り下げ可能な吊り下げロープと、収容袋本体の底部側の周面に取り付けられた円環体と、を備え、収容袋本体の口部側を上位に、収容袋本体の底部側を下位にできるように、収容袋本体を吊り下げて、収容袋本体（複数の防護管）を略横向きに配置できる。
【００２３】
本発明による防護管用収容袋は、封止扉を開くと、取り出し口から防護管を略横向きの状態で取り出すことができ、状来のように防護管が電線に容易に接触することを防止でき、安全である。又、本発明による防護管用収容袋は、封止扉を開くと、取り出し口から防護管を略横向きの状態で取り出すことができ、その状態で直ちに電線に装着が可能である。
【図面の簡単な説明】
【００２４】
【図１】本発明の第１実施形態による防護管用収容袋の構成を示す斜視図であり、図１（Ａ）は、封止扉が封止された状態図、図１（Ｂ）は、封止扉が封止された状態を図１（Ａ）と異なる方向から観た図、図１（Ｃ）は、封止扉が開封された状態図である。
【図２】第１実施形態による防護管用収容袋の使用状態を示す正面図であり、図２（Ａ）は、防護管用収容袋が略水平に吊り下げられた状態図、図２（Ｂ）は、図２（Ａ）の状態から封止扉を開封して、防護管を取り出している状態図、図２（Ｃ）は、図２（Ｂ）の状態から防護管を取り出した状態図である。
【図３】第１実施形態による防護管用収容袋を作業台に吊り上げた状態を示す斜視図である。
【図４】第１実施形態による防護管用収容袋の底部側をロープで引き上げている状態を示す斜視図である。
【図５】第１実施形態による防護管用収容袋の底部側を作業台に固定している状態を示す斜視図である。
【図６】第１実施形態による防護管用収容袋から防護管を取り出して、作業台上で防護管を電線に装着する状態を示す斜視図である。
【図７】本発明の第２実施形態による防護管用収容袋の構成を示す斜視図であり、図７（Ａ）は、封止扉が封止された状態図、図７（Ｂ）は、封止扉が封止された状態を図７（Ａ）と異なる方向から観た図、図７（Ｃ）は、封止扉が開封された状態図である。
【図８】第２実施形態による防護管用収容袋の使用状態を示す正面図であり、図８（Ａ）は、防護管用収容袋が略水平に吊り下げられた状態図、図８（Ｂ）は、図８（Ａ）の状態から封止扉を開封して、防護管を取り出している状態図、図８（Ｃ）は、図８（Ｂ）の状態から防護管を取り出した状態図である。
【図９】従来技術による防護管用収容袋の構成を示す斜視図である。
【図１０】従来技術による防護管用収容袋の使用状態を示す斜視図であり、図１０（Ａ）は、防護管を上方に引き上げた状態図、図１０（Ｂ）は、図１０（Ａ）の状態から防護管を下方に引き出し、防護管用収容袋から取り出した状態図、図１０（Ｃ）は、図１０（Ｂ）の状態から防護管を上方に引き上げて、電線に接触することなく、防護管を電線に装着可能となった状態図である。
【発明を実施するための形態】
【００２５】
以下、図面を参照して本発明を実施するための形態を説明する。
［第１実施形態］
（防護管用収容袋の構成）
最初に、本発明の第１実施形態による防護管用収容袋の構成を説明する。
【００２６】
図１は、本発明の第１実施形態による防護管用収容袋の構成を示す斜視図であり、図１（Ａ）は、封止扉が封止された状態図、図１（Ｂ）は、封止扉が封止された状態を図１（Ａ）と異なる方向から観た図、図１（Ｃ）は、封止扉が開封された状態図である。
【００２７】
図２は、第１実施形態による防護管用収容袋の使用状態を示す正面図であり、図２（Ａ）は、防護管用収容袋が略水平に吊り下げられた状態図、図２（Ｂ）は、図２（Ａ）の状態から封止扉を開封して、防護管を取り出している状態図、図２（Ｃ）は、図２（Ｂ）の状態から防護管を取り出した状態図である。
【００２８】
図１を参照すると、本発明の第１実施形態による防護管用収容袋（以下、収容袋と略称する）１０は、長尺の円筒状の収容袋本体１を備えている。収容袋本体１は、開口された口部１１を一端部に有し、閉塞された底部１２を他端部に有している。図２を参照すると、収容袋１０は、複数の長尺の防護管９を軸方向に相対的に移動して、口部１１から挿入することにより、これらの防護管９を収容できる。
【００２９】
図１又は図２を参照すると、収容袋１０は、吊り下げロープ２と円環体３を備えている。吊り下げロープ２の両端部２ａ・２ａは、遊動自在に口部１１に繋留している。実体として、吊り下げロープ２の両端部２ａ・２ａは、収容袋本体１の上端部に設けた剛性リング１１ａに繋留している。そして、吊り下げロープ２の中間部２ｂをフック７ａなどで掛止することにより、収容袋１０を懸架できる。
【００３０】
図１又は図２を参照すると、円環体３は、収容袋本体１の底部１２側に取り付けられている。実体として、円環体３は、収容袋本体１の外周に固定されたバンド３ａに係止している。例えば、フック７ｂなどを円環体３に掛止することにより、収容袋１０を横向き（水平状態）に懸架できる（図２（Ａ）参照）。
【００３１】
図１又は図２を参照すると、収容袋本体１は、その側面部材の一部が線ファスナー４で開閉自在に係合した封止扉１４を有している。封止扉１４を開くことにより、防護管９を取り出し容易な取り出し口４０を開口できる。収容袋本体１は、口部１１と円環体３との間の円環体３に寄せた位置に取り出し口４０を配置している。
【００３２】
図１又は図２を参照すると、線ファスナー４は、複数の務歯４ａとスライダ４ｂを有している。複数の務歯４ａは、収容袋本体１の側面部材同士を噛み合わせることができる。スライダ４ｂを操作すると、これらの務歯４ａを噛み合わせ、又は離反できる。つまり、スライダ４ｂを操作すると、封止扉１４を開閉できる。
【００３３】
図１又は図２を参照すると、封止扉１４は、一対の第１務歯列４１・４１と第２務歯列４２を有している。これらの第１務歯列４１・４１は、収容袋本体１の外周方向に略平行に延びている。第２務歯列４２は、収容袋本体１の軸方向に延びて、一対の第１務歯列４１・４１の端部同士を接続している。そして、取り出し口４０を略矩形に開口している。
【００３４】
図１を参照すると、収容袋本体１は、フック面部５ａとループ面部５ｂで構成される面ファスナーを有している。フック面部５ａには、本体となる布の片面に複数のフック状の起毛を植設している。一方、ループ面部５ｂは、本体となる布の片面に複数のループ状の起毛を密集して植設している。フック面部５ａは、封止扉１４の外面に貼着されている。ループ面部５ｂは、開いた封止扉１４が容易に復帰しないように、収容袋本体１の側面に貼着している。
【００３５】
次に、第１実施形態による収容袋１０の使用方法を説明する。図２（Ａ）を参照すると、収容袋１０は、複数の防護管９を収容する収容袋本体１と、収容袋本体１の口部１１に繋留して吊り下げ可能な吊り下げロープ２と、収容袋本体１の底部１２側の周面に取り付けられた吊り下げ可能な円環体３と、を備え、収容袋本体１の口部１１側を上位に、収容袋本体１の底部１２側を下位にできるように、収容袋本体１を吊り下げて、複数の防護管９を略横向きに配置できる。
【００３６】
図２（Ａ）を参照して、最初に、略水平状態に配置された収容袋１０の封止扉１４から防護管９を取り出すために、防護管９の下端部が封止扉１４に位置するように、防護管９を口部１１側に移動する。
【００３７】
次に、図２（Ｂ）に示すように、封止扉１４を開いて取り出し口４０から防護管９を傾斜した状態で取り出す（引き出す）。次に、図２（Ｃ）に示すように、収容袋１０から取り出した防護管９を水平状態に保持して、電線への装着が可能になる。
【００３８】
（防護管用収容袋の作用）
次に、第１実施形態による収容袋１０を用いた高所作業を説明しながら、第１実施形態による収容袋１０の作用及び効果を説明する。
【００３９】
図３は、第１実施形態による防護管用収容袋を作業台に吊り上げた状態を示す斜視図である。図４は、第１実施形態による防護管用収容袋の底部側をロープで引き上げている状態を示す斜視図である。
【００４０】
図５は、第１実施形態による防護管用収容袋の底部側を作業台に固定している状態を示す斜視図である。図６は、第１実施形態による防護管用収容袋から防護管を取り出して、作業台上で防護管を電線に装着する状態を示す斜視図である。
【００４１】
図３を参照すると、高所作業車（図示せず）に設けたブーム７１の先端部にポール７１ｐを配置している。そして、ポール７１ｐの先端部からロープを介して、複数の防護管９を収容した収容袋１０を鉛直に吊り下げている。なお、ブーム７１の先端部に連結された作業台７２には、作業員Ｍが搭乗している。
【００４２】
図３を参照すると、円環体３には、予め、ロープ７１ｒの一端部を繋留している。又、ロープ７１ｒの他端部側は、予長をもって口部１１側に繋留している。そして、図４に示すように、ロープ７１ｒの他端部を手繰り寄せて、収容袋本体１の口部１１側を上位に、収容袋本体１の底部１２側を下位にできるように、収容袋本体１を吊り下げて、収容袋本体１を略横向きに配置する。
【００４３】
次に、図５に示すように、収容袋本体１の略水平状態を保つように、ロープ７１ｒの他端部を作業台７２に繋留する。次に、図２で説明したように、収容袋１０から防護管９を取り出す。そして、図６に示すように、防護管９を略水平状態に保持して、防護管９を電線９ｗにスムーズに装着できる。
【００４４】
第１実施形態による収容袋１０は、収容袋本体１の口部１１側を上位に、収容袋本体１の底部１２側を下位にできるように、収容袋本体１を吊り下げて、収容袋本体１を略横向きに配置できるので、防護管９の姿勢を大きく変えることを抑制できる。そして、電線９ｗとの接触を防止できる。
【００４５】
第１実施形態による収容袋１０は、封止扉１４を開くと、取り出し口４０から防護管９を略横向きの状態で取り出すことができ、その状態で直ちに（スムーズに）電線９ｗに装着が可能であり、防護管９を不用意に地上に落下させることを防止できる。
【００４６】
［第２実施形態］
次に、本発明の第２実施形態による防護管用収容袋の構成及び作用・効果を説明する。図７は、本発明の第２実施形態による防護管用収容袋の構成を示す斜視図であり、図７（Ａ）は、封止扉が封止された状態図、図７（Ｂ）は、封止扉が封止された状態を図７（Ａ）と異なる方向から観た図、図７（Ｃ）は、封止扉が開封された状態図である。
【００４７】
図８は、第２実施形態による防護管用収容袋の使用状態を示す正面図であり、図８（Ａ）は、防護管用収容袋が略水平に吊り下げられた状態図、図８（Ｂ）は、図８（Ａ）の状態から封止扉を開封して、防護管を取り出している状態図、図８（Ｃ）は、図８（Ｂ）の状態から防護管を取り出した状態図である。
【００４８】
なお、第１実施形態を説明した図１から図６で用いた符号と同じ符号を有する構成品は、その作用を同一とするので、以下の説明では、割愛する場合がある。
【００４９】
図７又は図８を参照すると、本発明の第２実施形態による収容袋２０は、長尺の円筒状の収容袋本体１を備えている。又、収容袋２０は、吊り下げロープ２と円環体３を備えている。収容袋２０は、例えば、フック７ｂなどを円環体３に掛止することにより、収容袋２０を横向き（水平状態）に懸架できる（図８（Ａ）参照）。
【００５０】
図７又は図８を参照すると、収容袋本体１は、その側面部材の一部が線ファスナー６で開閉自在に係合した封止扉１６を有している。封止扉１６を開くことにより、防護管９を取り出し容易な取り出し口６０を口部１１と円環体３との間の円環体３に寄せて配置している。
【００５１】
図７又は図８を参照すると、線ファスナー６は、複数の務歯６ａとスライダ６ｂを有している。複数の務歯６ａは、収容袋本体１の側面部材同士を噛み合わせることができる。スライダ６ｂを操作すると、これらの務歯６ａを噛み合わせ、又は離反できる。つまり、スライダ６ｂを操作すると、封止扉１６を開閉できる。
【００５２】
図７又は図８を参照すると、封止扉１６は、一対の第３務歯列６１・６１と第４務歯列６２を有している。これらの第３務歯列６１・６１は、収容袋本体１の軸方向に略平行に延びている。第４務歯列６２は、収容袋本体１の外周方向に延びて、一対の第３務歯列６１・６１の端部同士を接続している。そして、円環体３に隣接する収容袋本体１の側面部材を外側に折り曲げて、取り出し口６０を略矩形に開口している。
【００５３】
図７を参照すると、封止扉１６には、第４務歯列６２側の中央部にフック６ｈを取り付けている。そして、図８（Ｂ）に示すように、フック７ｂに繋留するロープにフック６ｈを係合して、開いた封止扉１６を容易に復帰しないようにできる。
【００５４】
次に、第２実施形態による収容袋２０の使用方法を説明する。図８（Ａ）を参照して、最初に、略水平状態に配置された収容袋２０の封止扉１６から防護管９を取り出すために、防護管９の下端部が封止扉１６に位置するように、防護管９を口部１１側に移動する。
【００５５】
次に、図６（Ｂ）に示すように、封止扉１６を開いて取り出し口６０から防護管９を傾斜した状態で取り出す（引き出す）。次に、図６（Ｃ）に示すように、収容袋２０から取り出した防護管９を水平状態に保持して、電線への装着が可能になる。
【００５６】
第２実施形態による収容袋２０は、第１実施形態による収容袋１０と同様な効果を有する他に、図６（Ｂ）に示すように、傾斜した封止扉１６が防護管９を案内するので、取り出し口６０から防護管９を取り出しことが容易になるという、特有の効果がある。
【００５７】
本発明は、電線を防護する防護管を好適に収容する防護管用収容袋を開示したが、本発明による収容袋に収容された防護管は、電線に適用を限定されない。本発明による収容袋に収容された防護管は、例えば、通信線を防護するために用いることもできる。
【符号の説明】
【００５８】
１  収容袋本体
２  吊り下げロープ
２ａ・２ａ  両端部（吊り下げロープの両端部）
２ｂ  中間部（吊り下げロープの中間部）
３  円環体
４  線ファスナー
９  防護管
１０  収容袋（防護管用収容袋）
１１  口部
１２  底部
１４  封止扉
４０  取り出し口
【図１】
2012201469.tif 000003
【図２】
2012201469.tif 000004
【図３】
2012201469.tif 000005
【図４】
2012201469.tif 000006
【図５】
2012201469.tif 000007
【図６】
2012201469.tif 000008
【図７】
2012201469.tif 000009
【図８】
2012201469.tif 000010
【図９】
2012201469.tif 000011
【図１０】
2012201469.tif 000012